(57)【要約】【課題】  十分なバリアフリー化を達成し得ると共に、ごみが溜まりにくく、意匠性も良い開口部装置を提供する。【解決手段】  上枠２ａ、下枠２ｂおよび左右の縦枠２ｃ，２ｄからなる枠２と、該枠２内に開閉可能に設けられた障子３，４とを備え、前記下枠２ｂの上面を略平坦に形成すると共に、下枠２ｂの室内側に結露水を受ける凹部３３を有する結露水受け部３４を一体又は別体で設け、前記凹部３３にその上面を略平坦に覆うカバー部材４４を着脱自在に設け、該カバー部材４４の端部にカバー部材上面部４４ａから結露水を凹部３３に排水する排水口４５を設けている。【選択図】          図３
2006241810.tif 000002
【特許請求の範囲】
【請求項１】
上枠、下枠および左右の縦枠からなる枠と、該枠内に開閉可能に設けられた障子とを備え、前記下枠の上面を略平坦に形成すると共に、下枠の室内側に結露水を受ける凹部を有する結露水受け部を一体又は別体で設け、前記凹部にその上面を略平坦に覆うカバー部材を着脱自在に設け、該カバー部材の端部にカバー部材上面部から結露水を凹部に排水する排水口を設けたことを特徴とする開口部装置。
【発明の詳細な説明】
【技術分野】
【０００１】
本発明は、開口部装置に係り、特に下枠の上面がバリアフリーの略平坦面に形成されると共に下枠の室内側に結露水受け部を有する開口部装置に関する。
【背景技術】
【０００２】
従来、この種の開口部装置としては、上枠、下枠および左右の縦枠からなる枠と、該枠内に開閉可能に設けられた障子とを備え、前記下枠の上面が略フラットに形成されると共に、下枠の室内側には結露水を受ける凹部を有する結露水受け部（アングル部材）が設けられているサッシが知られている。しかしながら、このようなサッシにおいては、前記結露水受け部の凹部が車椅子の走行や歩行の渉外になるため、十分なバリアフリー化を達成し得ない。かかる問題に鑑みて、結露水受け部の凹部に結露水受けカバーを着脱自在に備え、この結露水受けカバーに結露水誘導溝を形成し、この結露水誘導溝が凹部よりも幅が狭く且つ溝深さが浅くなるように形成されたサッシが提案されている（特開２００２−２６６５６６号公報）。
【０００３】
【特許文献１】特開２００２−２６６５６６号公報
【発明の開示】
【発明が解決しようとする課題】
【０００４】
しかしながら、前記サッシにおいては、結露水受け部の凹部に結露水受けカバーを備えているとはいえ、その結露水受けカバーには結露水誘導溝が形成されているため、やはり十分なバリアフリー化を達成し得ないばかりでなく、前記結露水誘導溝内にごみが溜まりやすく、意匠性も悪い。
【０００５】
本発明は、上記事情を考慮してなされたものであり、十分なバリアフリー化を達成し得ると共に、ごみが溜まりにくく、意匠性も良い開口部装置を提供することを目的とする。
【課題を解決するための手段】
【０００６】
本発明は、上枠、下枠および左右の縦枠からなる枠と、該枠内に開閉可能に設けられた障子とを備え、前記下枠の上面を略平坦に形成すると共に、下枠の室内側に結露水を受ける凹部を有する結露水受け部を一体又は別体で設け、前記凹部にその上面を略平坦に覆うカバー部材を着脱自在に設け、該カバー部材の端部にカバー部材上面部から結露水を凹部に排水する排水口を設けたことを特徴とする。
【発明の効果】
【０００７】
本発明によれば、上枠、下枠および左右の縦枠からなる枠と、該枠内に開閉可能に設けられた障子とを備え、前記下枠の上面を略平坦に形成すると共に、下枠の室内側に結露水を受ける凹部を有する結露水受け部を一体又は別体で設け、前記凹部にその上面を略平坦に覆うカバー部材を着脱自在に設け、該カバー部材の端部にカバー部材上面部から結露水を凹部に排水する排水口を設けているため、十分なバリアフリー化を達成し得ると共に、ごみが溜まりにくく、意匠性の向上も図れる。
【発明を実施するための最良の形態】
【０００８】
以下に、本発明を実施するための最良の形態について、添付図面を基に詳述する。図１は本発明の実施の形態を示すサッシの概略的室内側正面図、図２は図１のサッシを横に接続して連窓サッシとした一例の部分的横断面図、図３は同部分的縦断面図、図４は結露水受け部にカバー部材を取付けた状態を示す概略的室内側斜視図、図５は結露水受け部にカバー部材を取付ける状態を示す概略的室外側斜視図である。
【０００９】
これらの図において、１は開口部装置である下枠フラットサッシ（ノンレールサッシ）で、このサッシ１は、建築物の屋外開口部に取付けられる上枠２ａ、下枠２ｂ及び左右の縦枠２ｃ，２ｄからなる枠（サッシ枠）２と、該枠２内に左右方向にスライド開閉可能に取付けられた障子（実施例では引違い障子）３，４とを備えている。上枠２ａ、下枠２ｂ及び左右の縦枠２ｃ，２ｄは、例えばアルミ押出形材からなっている。
【００１０】
前記内障子３は、例えばアルミ押出形材からなる上下框（上框と下框）５ａ，５ｂ及び左右の縦框（召し合せ框と戸先框）５ｃ，５ｄからなる框５内にガラスパネル６を装着してなる。前記外障子４は、例えばアルミ押出形材からなる上下框（上框と下框）７ａ，７ｂ及び左右の縦框（召し合せ框と戸先框）７ｃ，７ｄからなる框７内にガラスパネ８を装着してなる。
【００１１】
下框５ｂ，７ｂには戸車９が取付けられ、この戸車９を介して障子３，４が下枠２ｂの上面１０にスライド開閉可能に支持されている。前記下枠２ｂの上面１０は略平坦面に形成され、室外側に配置した排水用グレーチングやバルコニー等のデッキ部と、室内側の床部とが下枠２ｂの上面１０と略水平に形成され、バリアフリー構造になっている。下枠２ｂの上面１０の戸車９が走行する部分は戸車９を案内すべく若干凸面に形成されていても良い。
【００１２】
内障子（室内側に位置する障子）３の室外側下部にはその長手方向全長に亘って垂下片（第１垂下片）１１が設けられ、外障子（室外側に位置する障子）４の室内側下部にその長手方向全長に亘って垂下片（第２垂下片１２）が設けられている。前記垂下片１１，１２は戸車９の下端よりも下方に延出されている。前記下枠２ｂの上面１０には２つの前記垂下片１１，１２を案内する幅の狭い案内溝（第１案内溝と第２案内溝）１３，１４が下枠の長手方向全長に亘って設けられている。
【００１３】
また、下枠２ｂ内にはこれを上下に仕切る隔壁１５が設けられ、該隔壁１５の上部は溝状に形成されている。隔壁１５の下部は空間部２３とされ、該空間部２３は下枠２ｂの室外壁に設けた室外側排水口２４を通して外部例えば室外の排水溝（図示省略）と連通されている。前記下枠２ｂの空間部２３は図示例の場合、中空部（ホロー部）からなっているが、これに限定されない。
【００１４】
清掃性を向上させるために、下枠２ｂの上面１０は横断面で見て３つのカバー材（室内側カバー材、中間カバー材、室外側カバー材）２５，２６，２７により脱着可能に構成されている。室内側カバー材２５は内障子３をスライド開閉可能に支持している。この室内側カバー材には垂下片１１との間をシールする第１横気密材が設けられている。室内側カバー材２５は取付具例えばネジ（ビス）で隔壁（下枠本体）１５に脱着可能に取付けられている。
【００１５】
中間カバー材２６には垂下片１２との間をシールする第２横気密材９が設けられている。室外側カバー材２７は外障子４をスライド開閉可能に支持している。中間カバー材２６及び室外カバー材２７は一緒に、共通の取付具例えばネジ（ビス）により隔壁（下枠本体）１５に脱着可能に取付けられている。
【００１６】
室内外の気密性を保持しつつ結露水を室外に排水するために、前記下枠２ｂの上面１０には前記内障子３の室内側下部（下縁部）３０から落下する結露水を受ける深さの浅い水受溝３１が下枠２ｂの長手方向全長に亘って設けられ、該水受溝３１から室外に連通した前記下枠２ｂ内の空間部２３へ排水するための排水弁（逆止弁）３２が設けられ、該排水弁３２を経由して結露水が室内側から室外へ排水されるようになっている。
【００１７】
下枠２ｂの室内側には結露水を受ける凹部３３を有する結露水受け部３４が設けられている。図示例の結露水受け部３４は、下枠２ｂとは別体の結露水受け部材（アングル部材）として例えばアルミニウム押出形材により形成されており、下枠２ｂの室内面に当接されてネジ３５で取付けられている。下枠２ｂと結露水受け部３４との接合面にはシール部材３６が設けられている。結露水受け部３４には下枠２ｂの室内面との間で上方が開口し下枠２ｂの長手方向に沿って溝状の凹部３３が形成されており、この凹部（結露水受け凹部）３３が結露水を受ける溝部（結露水受け溝部）となっている。結露水受け部３４は、凹部３３の下縁部から垂下された水下部３４ａと、凹部３３の上縁部から室内側に水平に延出された水平部３４ｂとを有している。
【００１８】
結露水受け部（結露水受け部材）３４は、下枠２ｂの略全長、図示例の場合、連窓サッシの両下枠２ｂの略全長に対応する長さに形成されている。連窓サッシは２つのサッシ枠の隣接する縦枠２ｃ、２ｄ同士を方立３７を介して接合してなる。方立３７部分の縦枠２ｃ、２ｄを除く左右両端の縦枠２ｃ、２ｄの室内面には縦枠アングル部（縦枠アングル部材）３８が設けられ、該縦枠アングル部３８の下端部は結露水受け部３４の凹部３３の長手方向両端（開口端）を閉塞すべく結露水受け部３４の長手方向両端部にそれぞれ当接されてネジ３９で接合されている。結露水受け部３４と縦枠アングル部３８との接合面にはシールが施されていることが好ましい。方立３７の室内面には方立３７との間で縦枠２ｃ、２ｄを保持するためのクリップ４０がネジ４１で取付けられ、このクリップ４０には横断面略コ字状の目板４２が装着されている。この目板４２の下端部と結露水受け部３４との間には例えばシリコンゴム等のシール材４３が設けられている。
【００１９】
前記凹部３３にはその上面を略平坦に覆うカバー部材（溝蓋）４４が着脱自在に設けられている。このカバー部材４４の端部にはカバー部材上面部４４ａから結露水を凹部３３に排水するための排水口４５が設けられている。図示例では図５に示すように結露水受け部３４の縦枠アングル部３８と目板４２との間の凹部３３にカバー部材４４が設けられているが、連窓サッシではない通常のサッシの場合には、左右の縦枠アングル部材間の凹部にカバー部材が設けられる。また、カバー部材４４は、長さによって例えば図２に示すように複数例えば二つに分割されていても良い。
【００２０】
カバー部材４４は例えばアルミニウム押出形材からなり、断面略エ字状に形成されている。カバー部材４４は凹部の底面に載置されて上面部４４ａを凹部３３部の上面位置に支持する断面略逆Ｔ字状の脚部４４ｂを有している。カバー部材４４の上面部４４ａは結露水を集め易いように幅方向略中央部が両側部よりも少し低くなるように断面凹曲面状に形成されていることが好ましい。また、カバー部材４４の両端部における排水口４５等の加工性を考慮してその長手方向両端部には合成樹脂製の端部部材４６が装着されていることが好ましい。図６はカバー部材の端部の構造を説明するための説明図、図７は端部部材を示す図で、（ａ）は平面図、（ｂ）は接続側の正面図、（ｃ）は下方から見た斜視図、（ｄ）は上方から見た斜視図である。
【００２１】
端部部材４６の上面部はカバー部材４４の上面部４４ａと対応させて断面凹曲面状に形成され、端部部材４６の一端にはカバー部材４４の端部に嵌合する嵌合部４６ａが突設されている。端部部材４６には略円形の排水口４５が形成されている。この排水口４５は指を引っ掛けてカバー部材４４を凹部３３から容易に取外せるように指を引っ掛けられる大きさに形成されている。また、端部部材４６にはこれをネジ４７で凹部３３側に固定するための孔部４８が設けられている。この場合、ネジ４７の脱着の繰り返しにより凹部３３側の母材（アルミニウム）が侵食されるのを防止して耐久性の向上を図るために、凹部３３側にはステンレス製の固定部材４９がネジ５０で固定され、この固定部材４９に対して前記端部部材４６がネジ４７で着脱自在に取付けられている。
【００２２】
結露水受け部３４の長手方向両端部の上面には結露水の流れを規制するための規制部材５１が例えば両面粘着テープにより設けられている。規制部材５１には縦枠アングル部３８の内側面を流下する結露水を前記排水口４５に導くための傾斜面５１ａが形成されていることが好ましい。凹部３３に排水された結露水を排水するために、下枠２ｂには凹部３３内と室内側溝部２１内とを連通する連通口５２が設けられており、結露水が凹部３３から連通口５２、室内側溝部２１、排水弁３２、下枠下部空間２３、室外側排水口２４を通って外部に排水されるようになっている。
【００２３】
以上の構成からなるサッシ１によれば、上枠２ａ、下枠２ｂおよび左右の縦枠２ｃ，２ｄからなる枠２と、該枠２内に開閉可能に設けられた障子３，４とを備え、前記下枠２ｂの上面１０を略平坦に形成すると共に、下枠２ｂの室内側に結露水を受ける凹部３３を有する結露水受け部３４を設け、前記凹部３３にその上面を略平坦に覆うカバー部材４４を着脱自在に設け、該カバー部材４４の端部にカバー部材上面部４４ａから結露水を凹部３３に排水する排水口４５を設けているため、十分なバリアフリー化を達成し得ると共に、凹部３３にごみが溜まりにくく、意匠性の向上も図れる。
【００２４】
すなわち、下枠２ｂの室内側に結露水を受ける凹部３３を有する結露水受け部３４を設け、その凹部３３にその上面全体を略フラットに覆うカバー部材４４を設けているため、結露水受けカバーに結露水誘導溝を形成している従来のサッシと異なり、十分なバリアフリー化を達成し得ると共に、ごみが溜まりにくく、意匠性の向上も図れる。カバー部材４４の上面部４４ａが略フラットであるため、掃除も容易にできる。一方、排水口４５から凹部３３内に入り込んで溜まったごみを掃除する場合には、カバー部材４４を固定しているネジ４７を緩め、排水口４５に指を引っ掛けることによりカバー部材４４を凹部３３から容易に取外すことができ、清掃性ないしメンテナンス性の向上が図れる。
【００２５】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は引違いの障子を有するサッシに限定されず、例えば片引きの引戸にも適用可能である。また、実施例では下枠の室内側に結露水受け部が別体で設けられているが、結露水受け部は下枠の室内側に一体に設けられていても良い。
【図面の簡単な説明】
【００２６】
【図１】本発明の実施の形態を示すサッシの概略的室内側正面図である。
【図２】図１のサッシを横に接続して連窓サッシとした一例の部分的横断面図である。
【図３】同部分的縦断面図である。
【図４】結露水受け部にカバー部材を取付けた状態を示す概略的室内側斜視図である。
【図５】結露水受け部にカバー部材を取付ける状態を示す概略的室外側斜視図である。
【図６】カバー部材の端部の構造を説明するための説明図である。
【図７】端部部材を示す図で、（ａ）は平面図、（ｂ）は接続側の正面図、（ｃ）は下方から見た斜視図、（ｄ）は上方から見た斜視図である。
【符号の説明】
【００２７】
１  サッシ（開口部装置）
２  枠
２ａ  上枠
２ｂ  下枠
２ｃ、２ｄ  縦枠
３，４  障子
３３  凹部
３４  結露水受け部
４４  カバー部材
４５  排水口
【図１】
2006241810.tif 000003
【図２】
2006241810.tif 000004
【図３】
2006241810.tif 000005
【図４】
2006241810.tif 000006
【図５】
2006241810.tif 000007
【図６】
2006241810.tif 000008
【図７】
2006241810.tif 000009